(57)【要約】【課題】ベルトマシーンにあってフレーム枠などの格別の解体や組立てが不要であり、更には解体や組立てに基づく周辺機器の再調整が不要な金属製無端ベルトの脱着方法と脱着機構を提供する。【解決手段】無端ベルト（１０１，１０２）  の回動空間であり周辺が複数の第１フレーム枠により囲まれた主空間（Ｚ１）に隣接する部位に、垂直及び水平フレーム（１１６〜１１８）に関連させて、第２垂直フレーム（１１８ｂ）及び水平フレーム（１１７）  を有する第２フレーム枠により前記主空間（Ｚ１）と同等の容積空間をもつ補助空間（Ｚ２）を設ける。まず補助空間（Ｚ２）内に金属製無端ベルト（１０１，１０２）  の一部又は全部を搬入後、同無端ベルト（１０１，１０２）  と干渉する第１垂直フレーム（１１８ａ）の干渉部位に装着された垂直フレーム片（１２０）  を同第１垂直フレーム（１１８ａ）から外して形成されるベルト挿通間隙（Ｄ）  を通して前記主空間（Ｚ１）内に無端ベルト（１０１，１０２）  を差し入れ、上記ベルト回動用ロール（１０３〜１０６）に掛け回して装着し、前記第１垂直フレーム（１１８ａ）のベルト挿通間隙（Ｄ）  に前記フレーム片（１２０）  を再装着する。【選択図】図１
2004324667.tif 000002
【特許請求の範囲】
【請求項１】
周辺を１以上の第１垂直フレーム及び水平フレームを有する第１フレーム枠により囲まれた主空間内を回動する長尺な金属製無端ベルトを前後一対のベルト回動用ロールに脱着する方法であって、
前記金属製無端ベルトの回動方向に直交し前記主空間に隣接する部位に、前記垂直及び水平フレームに関連させて、第２垂直フレーム及び水平フレームを有する第２フレーム枠により前記主空間と同等の容積空間をもつ補助空間を設けること、
前記補助空間内に金属製無端ベルトの一部又は全部を搬入すること、
同無端ベルトと干渉する前記第１垂直フレームの干渉部位に装着された垂直フレーム片を同第１垂直フレームから除去してベルト挿通間隙を形成すること、
同ベルト挿通間隙を通して前記主空間内に前記金属製無端ベルトを差し入れて前記ベルト回動用ロールに装着すること、及び各ベルト回動用ロールに前記金属製無端ベルトを装着後、前記第１垂直フレームに形成された前記ベルト挿通間隙に前記垂直フレーム片を再装着すること、を含んでなることを特徴とする長尺な金属製無端ベルトの脱着方法。
【請求項２】
更に、前記第１垂直フレームの干渉部位に装着された前記垂直フレーム片を同第１垂直フレームから除去して再びベルト挿通間隙を形成すること、
ベルト回動用ロールに掛け回し装着された金属製無端ベルトを、前記ベルト挿通間隙を通して前記補助空間へと引き出したのち、フレーム外へと搬出すること、
を含んでなることを特徴とする請求項１記載の長尺な金属製無端ベルトの脱着方法。
【請求項３】
前述の金属製無端ベルト脱着操作時に、支持ブロックにより前記ベルト回動用ロールのロール面を下方から回動不能に支持することを含んでなることを特徴とする請求項１又は２記載の長尺な金属製無端ベルトの脱着方法。
【請求項４】
少なくとも前後に配されたベルト回動用ロールに掛け回されて回動する金属製無端ベルトを前記ベルト回動用ロールに脱着する機構であって、前記金属製無端ベルトの回動主空間のベルト幅方向を囲むようにして配される複数の第１垂直フレーム及び水平フレームを有する１以上の第１フレーム枠と、前記回動主空間に隣接して配され、前記第１垂直及び水平フレームと関連させて配された第２垂直フレーム及び水平フレームを有する第２フレーム枠の内側に形成される前記回動主空間と同等の容積空間をもつ補助空間と、
前記回動主空間と補助空間との境界部に配される１以上の各第１垂直フレームの一部に取着可能に配され、その除去時にはベルト通過用のベルト挿通間隙を形成する垂直フレーム片と、を少なくとも備えてなることを特徴とする長尺な金属製無端ベルトの脱着機構。
【請求項５】
前記補助空間の外部側に配された第２垂直フレームが除去可能である請求項４記載の長尺な金属製無端ベルトの脱着機構。
【発明の詳細な説明】
【０００１】
【発明の属する技術分野】
本発明は、予め無端に形成された金属製無端ベルトを、フレーム枠により囲まれた空間内に配された複数のベルト回動用ロールに装着し及び／又は取外すための脱着方法と脱着機構に関する。
【０００２】
【従来の技術】
近年、金属製の無端ベルトを使って、様々な製品の加工や製造がなされるようになってきている。これらの加工や製造のための機械は、単にベルトマシーンと呼称されることが多い。このベルトマシーンの利点は、被加工品に対して多様な条件下で多様な処理が同一ベルト上で連続処理が可能であること、常に平面上で加工が可能であること、被加工品にはベルトを離れるまで張力がかからないことなどがある。このベルトマシーンの種類は多様であり、例えばベルト上に溶融樹脂を流し込みながら直接フィルムを製造するフィルム成形機、或いは同じくベルト上を搬送されるシート製品の表面に薄膜をコーティングする塗工機などがある。これらのベルトマシーンには、単一の金属製無端ベルトを使い、そのベルト上で被加工品に対して所望の加工を行うシングルベルトマシーンと、上下の金属製無端ベルトの間にて被加工品に対して各種の加工を行うダブルベルトマシーンがある。
【０００３】
シングルベルトマシーンとしては、例えば光学用フィルムキャスティング装置があり、高精度のギアポンプから供給される液状の樹脂を特殊に設計されたＴダイから一方向に走行する表面が鏡面加工された金属製無端ベルト上に供給し、同ベルトの回動とともに脱溶剤させたり、重合させながらフィルム状又はシート状で引き取るものである。このとき、フィルムやシートの幅及び厚みを高精度に制御しており、製品フィルムは全ての方向に張力が一切かからない状態で製造されるため光学的歪みのない高品質のフィルムが製造できるというものである。
【０００４】
このシングルベルトマシーンの一例に、例えば特許文献１に開示されたシングルベルトマシーンがある。このシングルベルトマシーンは、流動性の化学製品を粒子に成形するための滴下成形機である。この滴下成形機は、大気圧下において、流動性の化学製品が収容される内部室を有する回転スクリーンを回転させて、室内の圧力部材に流動性の化学製品を衝突させて流体圧力を生成し、スクリーンの開口を通って流動性の化学製品を押し出して点滴を形成せしめ、一方に走行する金属製の無端ベルトの搬送表面上に滴下させる。この搬送表面上で滴下した点滴は搬送され固化して粒子になり、そこから取り出されて収集される。この粒子としては、例えば薬剤、調味料、芳香剤、合成洗剤、樹脂安定剤などの化学製品からなる粒子である。
【０００５】
一方のダブルベルトマシーンは、被加工物を走行する上下ベルト間で搬送しながら同時に加熱／冷却、反応、加圧／積層、鏡面転写などの各種加工を連続的に行うものであり、例えば発泡樹脂ボード、ゴム、複合材シート又はボードの熱処理装置、或いはプリント基板表面に対する樹脂コーティング装置や、金属及びゴムとの貼り合わせ物の量産用装置、高温化で特殊処理するフレキシブル基板用のラミネート装置などを挙げることができる。例えば、特許文献２によれば、コイルアンテナにＩＣチップが実装されたインレットシートをカード基材間に配置させたワークＷを、上下に配され対向ベルト領域において一方向に走行する金属製の無端ベルト間に挟持して、加熱・加圧装置により加熱したのち加圧するとともに冷却し、ＩＣチップ内蔵型の樹脂カードを製造するダブルベルトマシーンが開示されている。
【０００６】
また、このダブルベルトマシーンの他の例としては、例えば特許文献３には、同方向に同速度で進行する一対の金属製無端ベルトを直列に２組以上設置して、未発砲樹脂シートを前記一対のベルトをもって挟圧して移送しながら均一な気泡を有する発泡シートを連続して製造する方法が開示されている。この方法では、少なくとも前記第１組目と前記第２組目との各エンドレスベルトにより挟圧されて移送される発泡シートの両側部を使用樹脂の融点以下の温度に制御しており、また第２組目の前記エンドレスベルトを第１組目のそれより５〜１０００％増の速度で進行させ、第３組以降の前記エンドレスベルトを直前の組のエンドレスベルトとほぼ同速度で進行させる。第１組目と第２組目のエンドレスベルトにおける入口側のシート挟圧ベルト部分の温度と、出口側のシート挟圧ベルト部分の温度とをそれぞれ制御するとともに、第３組目以降のエンドレスベルトの温度を所定温度に制御している。
【０００７】
【特許文献１】
特開平１１−２７６８７７号公報
【特許文献２】
特開平１１−３３８９９７号公報
【特許文献３】
特開平８−１５６１１９号公報
【０００８】
【発明が解決しようとする課題】
ところで、上述のように、各特許文献１〜３のいずれも金属製の無端ベルトを使うものではあるが、その金属製無端ベルトを如何に機械に載せるかに関しては一切記載がない。この種の金属製無端ベルトは、その肉厚は（０．６〜３ｍｍ）と厚く、長さも８ｍを越えるものが多いため、大重量であり簡単には取り扱いにくい。しかも、その表面粗さや加工しようとする製品により要求されるベルトの加工精度も多様であり、その用途によって駆動ロールなどへの装着の仕方を異ならせねばならない。例えば、光学製品やＩＴ製品などのように厚さ精度に対して極めて厳密な精度が要求される場合には、ベルトの継目部分は当然として、ベルトの表面全体を鏡面加工する必要があるばかりでなく、ベルトの表面に凹凸があってはならない。
【０００９】
通常、この種の金属製無端ベルトをベルト駆動ロールなどに装着するには、▲１▼ベルトマシーンの設置現場にて金属製ベルトを駆動ロールなどに掛け回し、そのベルト端部を突き合わせて溶接により連結して無端ベルトを製作し、駆動ロールに装着する方法と、▲２▼ベルトマシーンの設置現場から離れた場所で、予め金属製の無端ベルトを製作しておき、これをベルトマシーンの設置現場に搬入して、駆動ロールなどに掛け回して装着させるベルト装着方法とがある。このベルトの装着が終了したのち、緊張ロールなどによってベルトに所定の張力を与える。この張力も最大で７〜１０ｋｇ／ｍｍ２  と極めて大きく、特に無端ベルトの継目部分にはこれらの強力な引っ張りに対して十分な引張強度を確保しなければならない。
【００１０】
上述の▲１▼によるベルト装着方法は一般的ではあるが、ベルト装着現場にてベルト端部を溶接などにより連結する場合には、溶接は可能であっても、溶接にともなう付随的な加工を行おうとしても狭い作業空間では難しく、所要の加工精度が得られないことが多い。殊に、溶接部と他の部分において、肉厚を均一にしようとしても、現場にて溶接する場合には、同溶接部が他の部分よりも僅かに凹んでしまい、製品に高精度の加工が要求される場合には、同ベルトを使うことができない。そこで、特に製品に対して高精度な加工が要求されるベルトマシーンにあっては、上記▲２▼のベルト装着方法が採用されることになる。
【００１１】
ところで、既述したとおり、この種のベルトマシーンに装着される金属製の無端ベルトは高重量であるばかりでなく、極めて長尺である。しかも、同ベルトの駆動にあたっても、高温加熱・冷却・押圧などの過酷な加工条件のもとで、ベルトの幅方向のみならず厚さ方向の変動があってはならない。その結果、ベルトマシーンの殆どは、加熱装置、冷却装置及び押圧装置などの他に、張力付与装置などが無端ベルトの内外に設置されることになる。更には、これらの装置を固定支持するためにベルトの周辺には多数の支持フレーム枠が配され、同フレーム枠により無端ベルトの大半が囲まれている。
【００１２】
そのため、上述のごとく、現場以外の場所において予め無端ベルトを製作しておき、これをベルト交換時などに現場に搬入し装着しようとすると、前記支持フレーム枠を解体し改めて組み立てなおさなければならず、そのために多くの労力と時間が浪費されるばかりでなく、再稼働の都度、各種装置の調整を行わなければならず、更に時間とメンテナンスのための費用が追加され、生産性を大幅に低下させている。
【００１３】
本発明は、かかる現状を踏まえて開発されたものであり、その目的はこの種のベルトマシーンにあってフレーム枠などの格別の解体や組立てが不要であり、更には解体や組立てに基づく周辺機器の再調整が不要な金属製無端ベルトの脱着方法と脱着機構を提供することにある。
【００１４】
【課題を解決するための手段及び作用効果】
かかる目的を達成すべく、本発明の長尺な金属製無端ベルトの脱着方法の基本的な構成は、周辺を１以上の第１垂直フレーム及び水平フレームを有する第１フレーム枠により囲まれた主空間内を回動する長尺な金属製無端ベルトを前後一対のベルト回動用ロールに脱着する方法であって、前記金属製無端ベルトの回動方向に直交し前記主空間に隣接する部位に、前記垂直及び水平フレームに関連させて、第２垂直フレーム及び水平フレームを有する第２フレーム枠により前記主空間と同等の容積空間をもつ補助空間を設けること、前記補助空間内に金属製無端ベルトの一部又は全部を搬入すること、同無端ベルトと干渉する前記第１垂直フレームの干渉部位に装着された垂直フレーム片を同第１垂直フレームから除去してベルト挿通間隙を形成すること、同ベルト挿通間隙を通して前記主空間内に前記金属製無端ベルトを差し入れて前記ベルト回動用ロールに装着すること、及び各ベルト回動用ロールに前記金属製無端ベルトを装着後、前記第１垂直フレームに形成された前記ベルト挿通間隙に前記垂直フレーム片を再装着することを含んでなることを特徴としている。
【００１５】
この脱着方法を効率的に行うため、本発明による長尺な金属製無端ベルトの脱着機構は、少なくとも前後に配されたベルト回動用ロールに掛け回されて回動する金属製無端ベルトを前記ベルト回動用ロールに脱着する機構であって、前記金属製無端ベルトの回動主空間のベルト幅方向を囲むようにして配される複数の第１垂直フレーム及び水平フレームを有する１以上の第１フレーム枠と、前記回動主空間に隣接して配され、前記第１垂直及び水平フレームと関連させて配された第２垂直フレーム及び水平フレームを有する第２フレーム枠の内側に形成される前記回動主空間と同等の容積空間をもつ補助空間と、前記回動主空間と補助空間との境界部に配される１以上の各第１垂直フレームの一部に取着可能に配され、その除去時にはベルト通過用のベルト挿通間隙を形成する垂直フレーム片とを少なくとも備えてなることを特徴としている。
【００１６】
いま、例えば金属製無端ベルトが外されたベルト回動用ロールに、現場以外の場所で作成された新たな金属製無端ベルトを掛け回して装着しようとするときは、まず、ベルト装着空間である主空間に隣接する補助空間内に前記金属製無端ベルトを搬入する。この搬入は、前記補助空間の外部側に配された第２垂直フレームを除去可能に構成しておき、第２垂直フレームを外して除去したのちに搬入させる。この場合、水平フレームには同フレームの自重以外に格別の荷重が掛かっていないため、一時的に片持ち状態としても安全面での不都合は生じない。
【００１７】
新たな金属製の無端ベルトは補助空間に搬入され、一旦補助空間を構成する水平フレームに引っ掛けられる。この場合金属製無端ベルトに傷がつかないように水平フレームにはフランネルのような柔らかいものを巻いておくことが好ましい。次に前記第２垂直フレームを改めて元の位置に設置したのち、第１垂直フレームに装着されている垂直フレーム片を取り外す。垂直フレーム片が除去されると、第１垂直フレームの途中に金属製無端ベルトを水平に挿通可能なベルト挿通間隙が生じる。このベルト挿通間隙を通して新たな金属製の無端ベルトを挿通させたのち、同無端ベルトを主空間の前後に配されたベルト回動用ロールに掛け回して装着する。このとき、緊張ロールなどは待機位置にあり、ベルト装着時には無端ベルトの装着長さには余裕があるため、ベルト回動用ロールに容易に装着することができる。この装着が終了すると、第１垂直フレームから外されている上記垂直フレーム片を元のベルト挿通間隙に嵌着させたのち、これをボルト等の適宜固着手段により固着させる。
【００１８】
以上の説明から明らかなごとく、主空間を囲む第１フレーム枠を解体することなく、その一部である垂直フレーム片の脱着だけの簡単な操作で予め製作された重量物である金属製の無端ベルトを容易に装着することができるようになる。その結果、装着後の周辺機器に対する調整作業をも簡略化できるため、稼働効率が大幅に向上する。
【００１９】
更に、上述のようにして新たな金属製無端ベルトを装着したのち、長期の稼働により交換時期がきたとき、先の無端ベルトをベルト回動用ロールから外さなければならなくなる。本発明の金属製無端ベルトの脱着方法にあっては、そのような交換にあたっては、金属製無端ベルトと干渉する前記第１垂直フレームの干渉部位に装着された前記垂直フレーム片を同第１垂直フレームから再び除去してベルト挿通間隙を形成し、ベルト回動用ロールに掛け回し装着された金属製無端ベルトを、前記ベルト挿通間隙を通して前記補助空間へと引き出したのち、フレーム外へと搬出することをも含んでいる。
【００２０】
また本発明の金属製無端ベルトの脱着方法では、前述のベルト脱着操作時に、支持ブロックにより前記ベルト回動用ロールのロール面を下方から回動不能に支持することをも含む場合があり、このようにベルト回動用ロールのロール面を支持ブロックにより下方から回動不能に支持すれば、ベルトの脱着時に前記ロール類が回動せず、円滑に脱着操作を行うことができるようになる。
【００２１】
【発明の実施形態】
以下、本発明の金属製無端ベルトの脱着方法と脱着機構の代表的な実施形態を図面を参照しながら具体的に説明する。図１〜図４は本発明の金属製無端ベルトの脱着機構を備えたベルトマシーンの実施形態の一例を示している。図１は同ベルトマシーンの正面図、図２は同平面図、図３は図１におけるＩＩＩ−ＩＩＩ  線に沿った矢視断面図、図４は同ＩＶ−ＩＶ  線に沿った矢視断面図、図５は同脱着機構に適用されるロール類の支持ブロックの正面図である。
【００２２】
前記ベルトマシーン１００は、上下一対の金属製無端ベルト１０１，１０２により複数層からなる積層シートを連続製造するためのダブルベルトマシーンの一例を示している。このベルトマシーン１００にあって、前記金属製無端ベルト１０１，１０２はステンレススチール製からなり、その厚みは１．５ｍｍ、ベルト幅は１０００ｍｍ、ベルトマシーン１００の全長は１５ｍを越えており、その前後に配された上下一対の駆動ロール１０３，１０４と従動ロール１０５，１０６に上下一対の金属製無端ベルト１０１，１０２を掛け回し装着して、駆動ロール１０３，１０４により積極的に回動させる。
【００２３】
図示例によるダブルベルトマシーン１００は、フレキシブル基板の連続製造機であり、例えば金属箔／フィルム／金属箔の３層基板を連続製造する。そのため、上下無端ベルト１０１，１０２の内部には、それぞれにその入口から出口にかけて、加熱装置Ａ、押圧装置Ｂ及び冷却装置Ｃが順次配されている。加熱装置Ａは熱風噴射ノズルを有する上下のチャンバー１０７、１０８を備えており、図示せぬ送風源から供給される熱風を熱風噴射ノズルを介して上下無端ベルト１０１，１０２の対向面の裏面に噴出させて上下無端ベルト１０１，１０２を所要の温度まで加熱する。前記押圧装置Ｂは上下の押圧ロール１０９，１１０を備えており、必要ならば内部に加熱源を有するようにしてもよい。前記冷却装置Ｃは、前記加熱装置Ａと同様に、冷風噴射ノズルを有する上下のチャンバー１０７、１０８を備えており、図示せぬ送風源から供給される冷却風を冷風噴射ノズルを介して上下無端ベルト１０１，１０２の対向面の裏面に噴出させて各無端ベルト１０１，１０２を所要の温度まで冷却する。
【００２４】
上述のように付設された構成機器に加えて、更に上下の無端ベルト１０１，１０２の走行面を安定化させるとともに、上下の無端ベルト１０１，１０２間の間隙を一定にするため、複数対の上下ガイドロール１１１，１１２が設けられている。ロール１１３はベルト１０２を脱着可能とするためのガイドロールである。
そして、これらの構成機器の全てが上記架台１１４及びフレーム枠１１５によって支持されている。
【００２５】
本発明のベルト脱着装置にあっては前記フレーム枠１１５に特徴部を有しており、図示実施形態では、同フレーム枠１１５は、上下一対の前記金属製無端ベルト１０１，１０２の回動部を取り囲むようにして、ベルトマシーン１００の長さ方向に直交して延びる複数本（図示例では６本）の第１水平フレーム１１６と、それらの水平フレーム１１６の延長上に第２水平フレーム１１７と、更には各第１水平フレーム１１６を下方から支持する複数本（図示例では６本）の垂直フレーム１１８とを備えている。なお、これらのフレーム以外にも、隣接する前記第１及び第２垂直フレーム１１８ａ，１１８ｂ間にそれぞれ第３の水平フレーム１１９を架設して、前記第１及び第２垂直フレーム１１８ａ，１１８ｂの設置強度を確保している。
【００２６】
前記第２水平フレーム１１７は、図２に示すように、前記第１水平フレーム１１６の一端を越えて延設されている。その延設長さは上記無端ベルト１０１，１０２のベルト幅よりも十分に長く設定されている。各第１水平フレーム１１６は、前記第２水平フレーム１１７との連結部と、第１水平フレーム１１６の延設側端部とが前記垂直フレーム１１８により下方から支持されている。この垂直フレーム１１８は、前記第１水平フレーム１１６と前記第２水平フレーム１１７との連結部を支持する第１垂直フレーム１１８ａと、前記第１フレーム１１６の延設側端部を支持する第２垂直フレーム１１８ｂに水平フレームにより結ばれ、支持される。
【００２７】
このようにして架台１１４に設置されたフレーム枠１１５にあって、前記第１水平フレーム１１６と前記第１垂直フレーム１１８ａとの間で形成される内部空間、すなわち本発明における主空間Ｚ１には上記駆動ロール１０３，１０４と従動ロール１０５，１０６とを除く全ての構成機器が配されるとともに、それらの機器の全てが前記フレーム１１６〜１１８などにより固設支持される。一方、前記第１水平フレーム１１６の延設側に配される第１垂直フレーム１１８ａと、前記第１水平フレーム１１６の延設側端部に配される第２垂直フレーム１１８ｂとの間に形成される空間、すなわち本発明における補助空間Ｚ２には格別な機器類が配されていない。なお、本発明における「主空間と同等の容積空間をもつ補助空間」とは、主空間Ｚ１と補助空間Ｚ２とが完全に同一の容積空間であることを含むのは勿論のこと、金属製無端ベルト脱着に支障のない範囲内であれば、主空間Ｚ１と補助空間Ｚ２とが多少異なる容積空間であってもよく、これらがほぼ同等の容積空間であることも含むとの意味である。
【００２８】
更に本実施形態にあっては、図３及び図４からも理解できるように、上記第１水平フレーム１１６の延設側に配される各第１垂直フレーム１１８ａの中間部に所要の間隔をおいて一部分が切除された複数のベルト挿通間隙Ｄを有している。
これらのベルト挿通間隙Ｄは、それぞれが金属製無端ベルト１０１，１０２の通過間隙となり、同無端ベルト１０１，１０２を駆動ロール１０３，１０４及び従動ロール１０５，１０６に掛け回して装着し、又はそれらのロール１０３〜１０６から取り外したのちには、別に用意された垂直フレーム片１２０を同間隙Ｄに嵌着させて、その上下端を第１垂直フレーム１１８ａの切除面にボルトなどの固着手段により固着して前記ベルト挿通間隙Ｄをなくす。このため、前記垂直フレーム片１２０は第１垂直フレーム１１８ａの切除断面と同一形状に形成され、その垂直方向の長さも前記ベルト挿通間隙Ｄと同じ長さに設定されており、第１垂直フレーム１１８ａと垂直フレーム片１２０との突き合わせ面には、それぞれボルトなどの螺合部が形成されたフランジ部を有している。
【００２９】
さて、以上の構成を備えたベルトマシーン１００にあって、いま上下の各駆動ロール１０３，１０４と対応する従動ロール１０５，１０６との間に上下一対の金属製無端ベルト１０１，１０２を掛け回して装着するときは、前記第２水平フレーム１１７、第１及び第２垂直フレーム１１８ａ，１１８ｂの間に形成された補助空間Ｚ２に、予めベルト端部同士を溶接などにより連結するとともに、研削などにより表面処理を行って完成された金属製無端ベルト１０１，１０２を搬入する。このとき、補助空間Ｚ２を画成する複数本の上記第１垂直フレーム１１８ａから、各ベルト挿通間隙Ｄに嵌着固定された垂直フレーム片１２０を取り外して予めベルト挿通間隙Ｄを形成しておく。
【００３０】
補助空間Ｚ２に搬入された無端ベルト１０１，１０２は、例えば上部無端ベルト１０１であればその下方側のベルト部分を、また下部無端ベルト１０２であればその上部側のベルト部分を、同じベルト挿通間隙Ｄに挿通させ、上部無端ベルト１０１の上部側のベルト部分は前記ベルト挿通間隙Ｄの上方に形成された別のベルト挿通間隙Ｄ又は上記第１水平フレーム１１６の上方空間を利用し、下部無端ベルト１０２の下部側のベルト部分は前記ベルト挿通間隙Ｄの下方に形成された別のベルト挿通間隙Ｄを利用して、各空間に挿通させ、上下の各駆動ロール１０３，１０４と対応する従動ロール１０５，１０６に掛け回して装着させる。この装着が完了すると、垂直フレーム片１２０が取り外された各ベルト挿通間隙Ｄに、再び垂直フレーム片１２０を嵌着して、第１垂直フレーム１１８ａに固着して同間隙Ｄをなくし、元の状態に戻す。このベルト装着操作が終了したのちに、周辺機器の調整を行って稼働可能な状態とする。
【００３１】
また、上下の各駆動ロール１０３，１０４などのベルト回動用ロールに既に装着されている使用済みの金属製無端ベルト１０１，１０２を、新たな金属製無端ベルト１０１，１０２と交換しようとするときは、まず上記第１垂直フレーム１１８ａに固設された垂直フレーム片１２０を同第１垂直フレーム１１８ａから取り外して、それぞれにベルト挿通間隙Ｄを形成する。次いで、上下の各駆動ロール１０３，１０４などのベルト回動用ロールに掛け回し装着された上下の金属製無端ベルト１０１，１０２を各駆動ロール１０３，１０４及び従動ロール１０５，１０６から外し、同無端ベルト１０１，１０２を前記ベルト挿通間隙Ｄを通して補助空間Ｚ２へと引き出す。
【００３２】
補助空間Ｚ２に引き出された使用済みの無端ベルト１０１，１０２を、補助空間Ｚ２から外部へと搬出する。使用済みの無端ベルト１０１，１０２が補助空間Ｚ２から搬出されると、続いて両端部が溶接などにより接合されて仕上げられた新たな金属製の無端ベルト１０１，１０２が補助空間Ｚ２に搬入される。このときの無端ベルト１０１，１０２の搬出入時に補助空間Ｚ２の外側に配された第２垂直フレーム１１８ｂが無端ベルト１０１，１０２と干渉する場合には、予め第２垂直フレーム１１８ｂを補助空間Ｚ２から取り外し又は移動可能にしておくとよい。補助空間Ｚ２に搬入された新たな無端ベルト１０１，１０２は、上述の装着操作を行うことにより、各駆動ロール１０３，１０４及び従動ロール１０５，１０６に掛け回して装着させる。
【００３３】
また本実施形態にあって、金属製無端ベルト１０１，１０２の脱着時にはベルトマシーン１００の入口側に配された上下の従動ロール１０５，１０６間と、下部従動ロール１０６と床面との間とに、それぞれロール回転を抑止するとともに各ロール１０５，１０６間及び下部従動ロール１０６と床面との間に間隙を持たせて支持する第１支持ブロック１２１及び第２支持ブロック１２２が取り外し自在に設置される。第１支持ブロック１２１は、図１、図３及び図５に示すように、支持軸部１２１ａの両端部に、正面視で略円錐台断面を有し平面視で矩形断面を有する一対のロール支持部材１２１ｂが、その上底面側を対向させてスプライン結合により取り付けられている。
【００３４】
この第１支持ブロック１２１を上下従動ロール１０５，１０６の間にセットするには、前記支持軸１２１ａを上下従動ロール１０５，１０６の間の間隙に前記支持軸１２１ａが両ロール１０５，１０６の軸線に直交するようにして挿入し、対向して配される前記一対のロール支持部材１２１ｂ間の上下支持面により、上部従動ロール１０５を下から回動不能に支持するとともに、下部従動ロール１０６を上方から回動不能に支持させるようにする。また、このときの第１支持ブロック１２１の設置位置は、上下従動ロール１０５，１０６の一端部側であって、上下無端ベルト１０１，１０２の掛け回し位置から外れた位置である。
【００３５】
一方、下部従動ロール１０６と床面との間に配される前記第２支持ブロック１２２は、図１及び図２に示すように、正面視で上面の両端部が相手方に対して下傾斜面を有し、その下傾斜面の間が水平面に形成された凹陥状の上面を有するとともに、平面視では矩形状を呈するブロック材からなり、その下面を床面に載置した状態で、その上面に下部従動ロール１０６の上記下部無端ベルト１０２の掛け回し位置からロールの一端部側に位置をずらして載置固定する。このように、少なくとも上下の従動ロール１０５，１０６の間と下部従動ロール１０６及び床面間に第１支持ブロック１２１及び第２支持ブロック１２２をセットすることにより、それらの自由回転しやすい各ロール１０５，１０６間のセット部に間隙が生じるため、無端ベルト１０１，１０２が装着しやすくなるだけでなく、上下の無端ベルト１０１，１０２が装着される従動ロール１０５，１０６などの回動ロールが無闇に回転せず、無端ベルト１０１，１０２の装着作業が安全に且つ円滑になされるようになる。
【００３６】
なお、図示実施形態はダブルベルトマシーンを例示するものであるが、本発明はダブルベルトマシーンに限らず、シングルベルトマシーンにも当然に適用が可能であるが、その場合には上部無端ベルト１０１が不要となり、上記フレーム枠１１５の構造も簡略化される。
【００３７】
上述のごとく、本発明によればベルト回動用ロール類への完成された金属製無端ベルトの装着時や交換時に、改めてフレーム枠の全体の解体作業や組立作業を行うことなく、極めて用意に且つ安全・確実に装着や交換が可能となるばかりでなく、ベルト装着後の周辺機器に対する調整作業も短時間で行うことができるようになる。
【図面の簡単な説明】
【図１】本発明の代表的な実施形態であるベルトマシーンの一構成例を示す正面図である。
【図２】同平面図である。
【図３】図１のＩＩＩ−ＩＩＩ  線に沿った矢視図である。
【図４】図１のＩＶ−ＩＶ  線に沿った矢視図である。
【図５】本発明に適用される支持ブロックの一例を示す正面図である。
【符号の説明】
１００              ベルトマシーン
１０１，１０２      上下の金属製無端ベルト
１０３，１０４      上下の駆動ロール
１０５，１０６      上下の従動ロール
１０７，１０８      上下チャンバー
１０９，１１０      上下押圧ロール
１１１，１１２      上下ガイドロール
１１３              ガイドロール
１１４              架台
１１５              フレーム枠
１１６              第１水平フレーム
１１７              第２水平フレーム
１１８              垂直フレーム
１１８ａ            第１垂直フレーム
１１８ｂ            第２垂直フレーム
１１９              第３水平フレーム
１２０              垂直フレーム片
１２１              第１支持ブロック
１２２              第２支持ブロック
Ｚ１                主空間
Ｚ２                補助空間
Ｄ                  ベルト挿通間隙
Ａ                  加熱装置
Ｂ                  押圧装置
Ｃ                  冷却装置
【図１】
2004324667.tif 000003
【図２】
2004324667.tif 000004
【図３】
2004324667.tif 000005
【図４】
2004324667.tif 000006
【図５】
2004324667.tif 000007